(57)【要約】【課題】フロントマスクがハウジングの適正位置より変移したり、ハウジングより脱落するのを防止できるコネクタを提供する。【解決手段】前面に開口された端子収容室２及びインナーコネクタ収容室３を有するハウジング１と、ハウジング１の前面に装着され、端子収容室２に対応する位置に端子導入口１１が設けられ、且つ、インナーコネクタ収容室３に対応する位置にコネクタ挿入孔１２が設けられたフロントマスク１０と、端子収容室２に収容された端子３０と、ハウジング１のインナーコネクタ収容室３とフロントマスク１０のコネクタ挿入孔１２に亘って収容されたインナーコネクタ４０とを備えた。【選択図】図７
2020087811.tif 000002
【特許請求の範囲】
【請求項１】
前面に開口された端子収容室及びインナーコネクタ収容室を有するハウジングと、
前記ハウジングの前面に装着され、前記端子収容室に対応する位置に端子導入口が設けられ、且つ、前記インナーコネクタ収容室に対応する位置にコネクタ挿入孔が設けられたフロントマスクと、
前記端子収容室に収容された端子と、
前記ハウジングの前記インナーコネクタ収容室と前記フロントマスクの前記コネクタ挿入孔に亘って収容されたインナーコネクタとを備えたことを特徴とするコネクタ。
【請求項２】
請求項１記載のコネクタであって、
前記ハウジングに装着され、前記端子と前記インナーコネクタの抜け方向の移動を阻止するリテーナを備えたことを特徴とするコネクタ。
【請求項３】
請求項１又は請求項２記載のコネクタであって、
前記インナーコネクタは、データ通信用コネクタであることを特徴とするコネクタ。
【発明の詳細な説明】
【技術分野】
【０００１】
本発明は、フロントマスクを有するコネクタに関する。
【背景技術】
【０００２】
この種の従来のコネクタとしては、特許文献１に開示されたものがある。このコネクタ６０は、図１０及び図１１に示すように、前面にそれぞれ開口された複数の端子収容室（図示せず）を有するハウジング６２と、ハウジング６２の前面を覆うように装着されたフロントマスク７０と、各端子収容室に収容された複数の端子（図示せず）と、端子の引き抜きを阻止するリテーナ（図示せず）を備えている。
【０００３】
フロントマスク７０は、相手端子（図示せず）がぞれぞれ挿入される複数の端子導入孔７１と、プローブ（図示せず）がそれぞれ挿入される複数の検査孔７２とを有する。フロントマスク７０は、ハウジング６２の前面に沿って下方よりスライド挿入され、係止手段によって第１保持位置（図１０の位置）と第２保持位置（図１１の位置）で位置決めできるようになっている。
【０００４】
係止手段は、ハウジング６２に設けられた左右一対の２箇所の係止凹部６３と、フロントマスク７０に設けられた左右一対の係止爪部７３とを有する。第１保持位置では、各端子導入孔７１がハウジング６２の各端子収容室（図示せず）の開口に一致し、相手端子（図示せず）がハウジング６２に収容された端子（図示せず）に嵌合する位置となる。第２保持位置では、検査孔７２がハウジングの各端子収容室（図示せず）の開口に一致し、ハウジング６２に収容された端子（図示せず）の前端壁に当接する位置となる。
【０００５】
コネクタ嵌合時には、フロントマスク７０を図１０の第１位置とし、相手端子（図示せず）をフロントマスク７０の端子導入孔７１を通して端子収容室（図示せず）に配置された端子（図示せず）に嵌合可能となる。導通検査時には、フロントマスク７０を図１１の第２位置とし、プローブ（図示せず）をフロントマスク７０の検査孔７２を通して端子収容室（図示せず）に配置された端子（図示せず）の前端壁に当接させる（突き当てる）ことによって端子（図示せず）の導通検査を行う。
【０００６】
フロントマスク７０は、ハウジング６２の構造を極力単純化させることによってハウジング６２を製造する際の成形性を向上させること、具体的には、コネクタの小型化に伴い、ハウジング６２に端子導入孔７１と共にランス（図示せず）を一体成形する場合には細く形成される金型のピン（図示せず）が折れやすくなる不具合を防止するために単純構造にすることや、上記従来例のように、プローブと相手端子を適正な挿入位置に導くこと等を理由として、ハウジングと別体に設けられる。
【先行技術文献】
【特許文献】
【０００７】
【特許文献１】特開２００９−１２９６２６号公報
【発明の概要】
【発明が解決しようとする課題】
【０００８】
しかしながら、フロントマスク７０をハウジング６２に係止する係止手段の係止力が弱いと、フロントマスク７０を下方に押圧する外力の作用で、フロントマスク７０がハウジング６２の適正位置より変移したり、ハウジング６２より脱落するという問題がある。
【０００９】
そこで、本発明は、前記した課題を解決すべくなされたものであり、フロントマスクがハウジングの適正位置より変移したり、ハウジングより脱落するのを防止できるコネクタを提供することを目的とする。
【課題を解決するための手段】
【００１０】
本発明は、前面に開口された端子収容室及びインナーコネクタ収容室を有するハウジングと、前記ハウジングの前面に装着され、前記端子収容室に対応する位置に端子導入口が設けられ、且つ、前記インナーコネクタ収容室に対応する位置にコネクタ用開口部が設けられたフロントマスクと、前記端子収容室に収容された端子と、前記ハウジングの前記インナーコネクタ収容室と前記フロントマスクの前記コネクタ用開口部に亘って収容されたインナーコネクタとを備えたことを特徴とするコネクタである。
【発明の効果】
【００１１】
本発明によれば、フロントマスクのコネクタ用開口部にインナーコネクタが挿入されているため、フロントマスクの移動方向に外力が作用してもフロントマスクがハウジングの適正位置より変移したり、ハウジングより外れることがない。
【図面の簡単な説明】
【００１２】
【図１】本発明の一実施形態を示し、コネクタの組付け状態の斜視図である。
【図２】本発明の一実施形態を示し、コネクタの組付け状態の一部破断斜視図である。
【図３】本発明の一実施形態を示し、（ａ）はフロントマスクのスライド用突壁とハウジングのスライド用溝の係合状態を示す図１のＢ−Ｂ線断面図、（ｂ）はフロントマスクの係止爪とハウジングの係止溝の係止状態等を示す（ａ）のＣ-Ｃ線断面図、（ｃ）はデータ通信用コネクタの係止凹部とリテーナのコネクタ係止部の係止状態を示す断面図である。
【図４】本発明の一実施形態を示し、（ａ）はデータ通信用コネクタがラップリブにガタ詰めされた状態を示すハウジングの要部前面図、（ｂ）はラップリブの配置を示すハウジングの要部前面図である。
【図５】本発明の一実施形態を示し、ハウジングにフロントマスクを挿入する前の斜視図である。
【図６】本発明の一実施形態を示し、ハウジングにフロントマスクを挿入した状態の斜視図である。
【図７】本発明の一実施形態を示し、ハウジングに端子やデータ通信用コネクタを挿入する過程の斜視図である。
【図８】本発明の一実施形態を示し、ハウジングにデータ通信用コネクタを挿入する過程の一部破断斜視図である。
【図９】本発明の比較例を示し、コネクタの要部断面図である。
【図１０】従来例を示し、フロントマスクが第１保持位置に位置するコネクタの前面図である。
【図１１】従来例を示し、フロントマスクが第２保持位置に位置するコネクタの前面図である。
【発明を実施するための形態】
【００１３】
以下、本発明の実施形態を図面に基づいて説明する。
【００１４】
図１〜図８は、本発明の一実施形態を示す。
【００１５】
コネクタＡは、図１〜図４に示すように、ハウジング１と、ハウジング１の前面を覆うように装着されたフロントマスク１０と、ハウジング１に嵌合されたリテーナ２０と、ハウジング１に収容された複数の端子３０（図７に示す）と、同じくハウジング１に収容されたインナーコネクタであるデータ通信用コネクタ４０とを備えている。各図では図面の単純化のため１つの端子３０のみ表示されている。
【００１６】
ハウジング１は、前面及び後面にそれぞれ開口された複数の端子収容室２と、同じく前面及び後面にそれぞれ開口された１つのインナーコネクタ収容室３を有する。インナーコネクタ収容室３は、ハウジング１の幅方向の中央位置に配置されている。インナーコネクタ収容室３の内周面には、図４、図８に示すように、ハウジング１の前方側に複数のラップリブ４が突設されている。
【００１７】
複数の端子収容室２は、インナーコネクタ収容室３の左右位置に上下及び幅方向に整列して配置されている。各端子収容室２には、ハウジング１に一体に形成されたランス８ａ(図５に示す）が突設されている。インナーコネクタ収容室３には、ハウジング１のコネクタ用ランス９（図２、図８に示す）が設けられている。
【００１８】
ハウジング１の前面部には、左右一対の突出側壁５Ａが突設されている。一対の突出側壁５Ａの内面に、一対のスライド用溝５が設けられている。一対のスライド用溝５は、ハウジング１の底面側が開口している。ハウジング１の前面部には、複数の上方突出壁６Ａが突設されている。各上方突出壁６Ａには、挿入部６がそれぞれ設けられている。ハウジング１の前面部には、一対のスライド用溝５の内側位置に一対の係止溝７が設けられている。
【００１９】
ハウジング１には、底面に開口するリテーナ用開口部８が設けられている。リテーナ用開口部８は、各端子収容室２及びインナーコネクタ収容室３を貫通している。
【００２０】
ハウジング１の上面には、相手コネクタ（図示せず）とのロック部２５が設けられている。
【００２１】
フロントマスク１０は、ハウジング１の前面を覆うように装着されている。フロントマスク１０には、各端子収容室２に対応する位置に端子導入口１１がそれぞれ設けられている。フロントマスク１０には、インナーコネクタ収容室３に対応する位置にコネクタ挿入孔１２が設けられている。各端子導入口１１は、フロントマスク１０の後面より前面に向かって徐々に拡径するテーパ状の孔に形成されている。各端子導入口１１は、相手端子（図示せず）が端子収容室２に収容された端子３０への適正な挿入位置にガイドする。コネクタ挿入孔１２は、フロントマスク１０の後面より前面に向かってストレートな孔であり、ハウジング１のインナーコネクタ収容室３の前面開口と同一寸法の開口に形成されている。
【００２２】
フロントマスク１０には、幅方向の両端に一対のスライド用突壁１３が突設されている。一対のスライド用突壁１３は、図３（ａ）に示すように、ハウジング１の一対のスライド用溝５に入り込んでいる。フロントマスク１０には、上部に複数の突壁１４が設けられている。各突壁１４は、図１及び図２に示すように、ハウジング１の各挿入部６に挿入されている。フロントマスク１０の後面には、一対のスライド用突壁１３の内側位置に一対の係止爪１５が設けられている。一対の係止爪１５は、図３（ｂ）に示すように、ハウジングの各係止溝７に係止されている。
【００２３】
リテーナ２０は、ハウジング１の下方よりリテーナ用開口部８に挿入されている。リテーナ２０は、各端子収容室２に収容された端子３０を係止する端子係止部（図示せず）と、インナーコネクタ収容室３に収容されたデータ通信用コネクタ４０を係止するコネクタ係止部２１とを有する。リテーナ２０は、ハウジング１の仮係止位置（図８の実線位置）と本係止位置（図８の仮想線位置）の間で変移可能に設けられている。リテーナの仮係止位置では、端子３０やデータ通信用コネクタ４０のハウジング１内への挿入が許容される。リテーナ２０の本係止位置では、リテーナ２０は、ハウジング１内に収容された端子３０に端子係止部（図示せず）が係止する位置に、また、ハウジング１内に収容されたデータ通信用コネクタ４０にコネクタ係止部２１が係止する位置に位置する。
【００２４】
各端子３０は、図７に示すように、雌端子形態であり、電線Ｗ１の端部に接続されている。各端子３０は、各端子収容室２の後面の開口より端子収容室２に挿入されている。各端子３０は、ハウジング１の端子収容室２に収容された状態では、ハウジング１のランス８ａとリテーナ２０の端子係止部（図示せず）によって二重係止され、端子抜け方向の移動が阻止されている。
【００２５】
データ通信用コネクタ４０は、雌形態のコネクタであり、一対の雌形態の端子を内蔵している。データ通信用コネクタ４０は、データ通信用電線Ｗ２の端部に接続されている。データ通信用電線Ｗ２は、ツインペア電線より構成されている。尚、データ通信用コネクタ４０とデータ通信用電線Ｗ２との間には、電磁シールド部材Ｘが介在されている。
【００２６】
データ通信用コネクタ４０には、底面より下方に突出する係止爪４１（図２、図８に示す）が設けられている。データ通信用コネクタ４０には、左右の側端部に一対の係止凹部４２（図３（ｃ）、図７に示す）が設けられている。
【００２７】
データ通信用コネクタ４０は、インナーコネクタ収容室３の後面の開口よりインナーコネクタ収容室３に挿入されている。データ通信用コネクタ４０は、端子３０とは異なり、ハウジング１のインナーコネクタ収容室３とフロントマスク１０のコネクタ挿入孔１２に亘って収容されている。つまり、データ通信用コネクタ４０の挿入先端部は、フロントマスク１０のコネクタ挿入孔１２に配置されている。データ通信用コネクタ４０の先端面は、フロントマスク１０のコネクタ挿入孔１２の前端に臨むように配置されている。
【００２８】
データ通信用コネクタ４０の外周面には、ハウジング１のインナーコネクタ収容室３の内周面より突出した複数のラップリブ４が当接している。これにより、データ通信用コネクタ４０は、インナーコネクタ収容室３内でのガタツキが防止され、且つ、インナーコネクタ収容室３内の中心位置に位置決めされている。
【００２９】
データ通信用コネクタ４０は、図２に示すように、インナーコネクタ収容室３に収容された状態では、ハウジング１のコネクタ用ランス９に係止爪４１が係止され、図３（ｃ）に示すように、リテーナ２０のコネクタ係止部２１に係止凹部４２が係止されることによって二重係止され、コネクタ抜け方向の移動が阻止されている。
【００３０】
次に、コネクタＡの組付け手順を説明する。図５に示すように、ハウジング１の前面にフロントマスク１０を装着する。詳細には、フロントマスク１０の一対のスライド用突壁１３をハウジング１の一対のスライド用溝５にハウジング１の下方より挿入し、フロントマスク１０を上方にスライド移動する。すると、フロントマスク１０の各突壁１４がハウジング１の各挿入部６に挿入され、フロントマスク１０の一対の係止爪１５がハウジング１の一対の係止溝７に係止される（図３（ａ）、（ｂ）参照）。図６に示す組付け段階では、フロントマスク１０は、下方向への脱落が係止爪１５の係止力のみによって阻止されている。
【００３１】
次に、図７に示すように、リテーナ２０が仮係止位置（図８の実線位置）にセットされたハウジング１に対し、各端子３０をハウジング１の端子収容室２の後面の開口より挿入する。端子収容室２に挿入された端子３０は、ハウジング１のランス８ａに係止され、抜け方向の移動が阻止される。又、図７及び図８に示すように、データ通信用コネクタ４０をハウジング１のインナーコネクタ収容室３の後面の開口より挿入する。データ通信用コネクタ４０は、その先端がフロントマスク１０のコネクタ挿入孔１２に完全に入り込むまで挿入する。インナーコネクタ収容室３に挿入されたデータ通信用コネクタ４０は、ハウジング１のコネクタ用ランス９に係止され、抜け方向の移動が阻止される。
【００３２】
最後に、リテーナ２０を仮係止位置（図８の実線位置）から本係止位置（図８の仮想線位置）に移動する。これにより、リテーナ２０の各端子係止部（図示せず）が端子３０に係止し、コネクタ係止部２１がデータ通信用コネクタ４０に係止する（図２参照）。これで、完了する。
【００３３】
以上説明したように、コネクタＡは、前面に開口された端子収容室２及びインナーコネクタ収容室３を有するハウジング１と、ハウジング１の前面に装着され、端子収容室２に対応する位置に端子導入口１１が設けられ、且つ、インナーコネクタ収容室３に対応する位置にコネクタ挿入孔１２が設けられたフロントマスク１０と、各端子収容室２に収容された端子３０と、ハウジング１のインナーコネクタ収容室３とフロントマスク１０のコネクタ挿入孔１２に亘って収容されたデータ通信用コネクタ４０とを備えている。
【００３４】
従って、フロントマスク１０のコネクタ挿入孔１２にデータ通信用コネクタ４０が挿入（嵌合）されているため、換言すれば、データ通信用コネクタ４０がフロントマスク１０の閂として機能するため、フロントマスク１０に下方へ移動する外力が作用しても、この外力をデータ通信用コネクタ４０が受けるためにデータ通信用コネクタ４０が下方に移動し、ハウジング１より外れることがない。
【００３５】
また、リテーナ２０を仮係止位置として端子３０の抜き作業をする際、フロントマスク１０に下方に移動する外力が作用する場合が想定されるが、この外力をデータ通信用コネクタ４０が受けるためにデータ通信用コネクタ４０が下方に移動し、ハウジング１より外れることがない。
【００３６】
また、図９に示す比較例に示すように、データ通信用コネクタ４０がハウジング１のインナーコネクタ収容室３にのみ挿入され、フロントマスク１０には、インナーコネクタ収容室３に対応する位置にテーパ状のコネクタ導入孔５０が設けられる構成とすると、フロントマスク１０のコネクタ導入孔５０とインナーコネクタ収容室３のデータ通信用コネクタ４０とのセンター軸位置がずれた場合に相手コネクタの端子５１がインナーコネクタ収容室３の適正な挿入位置に案内されない虞れがある。しかし、本実施形態では、データ通信用コネクタ４０がフロントマスク１０のコネクタ挿入孔１２に入り込んでいるため、上記したような不具合が発生しない。
【００３７】
コネクタＡは、ハウジング１の端子収容室２及びインナーコネクタ収容室３に装着され、端子３０とデータ通信用コネクタ４０の抜け方向の移動を阻止するリテーナ２０を備えている。従って、リテーナ２０によって端子３０と共にデータ通信用コネクタ４０も係止され、端子３０とデータ通信用コネクタ４０の双方の抜け防止ができる。
【００３８】
ハウジング１には、インナーコネクタ収容室３に突設する複数のラップリブ４が設けらている。データ通信用コネクタ４０をインナーコネクタ収容室３に挿入する際に、複数のラップリブ４がデータ通信用コネクタ４０の外周面に当接（押圧）することによって、データ通信用コネクタ４０がインナーコネクタ収容室３内の中心位置に位置決めされるため、データ通信用コネクタ４０の先端面がフロントマスク１０のコネクタ挿入孔１２のエッジ等に突き当たることなくコネクタ挿入孔１２にスムーズに挿入される。又、複数のラップリブ４は、データ通信用コネクタ４０がインナーコネクタ収容室３に収容された状態では、データ通信用コネクタ４０のインナーコネクタ収容室３内でのガタツキを防止する。
【００３９】
インナーコネクタ収容室３とコネクタ挿入孔１２は、ハウジング１とフロントマスク１０の幅方向の中央位置に配置されている。従って、データ通信用コネクタ４０がフロントマスク１０の幅方向の中央位置に嵌合することになるため、フロントマスク１０が幅方向の片側位置に嵌合される場合に比べて、外力への対応力に優れている。つまり、フロントマスク１０が幅方向の一方の片側位置に嵌合されている場合には、他方の片側位置に外力が作用すると、フロントマスク１０に大きな回転モーメントが作用し、フロントマスク１０がハウジング１より変移、脱落する等の不具合が発生する可能性が大きいが、フロントマスクが幅方向の中央位置に嵌合されている場合には、左右のどの片側位置に外力が作用してもフロントマスク１０に大きな回転モーメントが作用せず、フロントマスク１０がハウジング１より変移、脱落する可能性低い。
【００４０】
コネクタＡは、ハウジング１に収容されたインナーコネクタであるデータ通信用コネクタ４０を備えている。よって、データ通信用コネクタ４０を別に取り扱うことなくコネクタＡとして不図示の相手コネクタに嵌合でき、作業が容易となる。
【００４１】
前記実施形態では、フロントマスク１０は、ハウジング１の前面に沿って下方から上方への移動でハウジング１の前面に装着されるが、フロントマスク１０を装着する移動方向はどの方向（例えば横方向）でも本発明を適用可能である。
【符号の説明】
【００４２】
Ａ  コネクタ
１  ハウジング
２  端子収容室
３  インナーコネクタ収容室
１０  フロントマスク
１１  端子導入口
１２  コネクタ挿入孔
２０  リテーナ
３０  端子
４０  データ通信用コネクタ（インナーコネクタ）
【図１】
2020087811.tif 000003
【図２】
2020087811.tif 000004
【図３】
2020087811.tif 000005
【図４】
2020087811.tif 000006
【図５】
2020087811.tif 000007
【図６】
2020087811.tif 000008
【図７】
2020087811.tif 000009
【図８】
2020087811.tif 000010
【図９】
2020087811.tif 000011
【図１０】
2020087811.tif 000012
【図１１】
2020087811.tif 000013